(57)【要約】      （修正有）【課題】飛来中の虫だけでなく栽培植物の葉の裏や枝内、栽培ポッドの陰等といった比較的下方の個所に潜む虫も捕獲することができ、また捕獲範囲を定位置外に拡げることのできる捕虫器を提供する。【解決手段】下部の吸引口１１Ｈから捕虫領域内の虫を吸引して上部の捕獲網５内に捕獲する捕虫器本体１と、走行枠体内で補虫器本体１を奥行き方向、幅方向のうちいずれか一方向内をスライド可能に支持するスライドレール機構７０と、栽培棚８の上方を奥行き方向、幅方向のうち前記いずれか一方向に跨ぐと共に残りの他方向に沿って走行し得る走行枠体７と、スライドレール機構７０に付属して捕虫器本体１の支持高さを上下方向に可変調節するジャッキ機構６を具備する。スライドレール機構７０によって、捕虫器本体１のスライド位置を調節しながら、走行枠体７によって栽培面上を往復走行させることで、栽培面廻りに発生した虫を捕獲する。【選択図】図１
2011160794.tif 000002
【特許請求の範囲】
【請求項１】
奥行き方向及び幅方向に拡がる植物の栽培面の上方に、所定の捕虫領域（１１Ａ）の捕虫器本体（１）を移動可能に備える移動型捕虫器であって、それ自身の下部の吸引口（１１Ｈ）から平面視捕虫領域（１１Ａ）内の虫を吸引して上部の捕獲網（５）内に捕獲する捕虫器本体（１）と、走行枠体内で補虫器本体（１）を奥行き方向、幅方向のうちいずれか一方向内をスライド可能に支持するスライドレール機構（７０）と、栽培棚（８）の上方を奥行き方向、幅方向のうち前記いずれか一方向に跨ぐと共に残りの他方向に沿って走行し得る走行枠体（７）と、スライドレール機構（７０）に付属して捕虫器本体（１）の支持高さを上下方向に可変調節するジャッキ機構（６）とを具備してなり、スライドレール機構（７０）によって、捕虫器本体（１）のスライド位置を調節しながら、走行枠体（７）によって栽培面上を往復走行させることで、栽培面廻りに発生した虫を捕獲することを特徴とする移動型捕虫器。
【請求項２】
スライドレール機構（７０）は、捕虫器本体（１）の両側部を並走する一対のレール枠（７０Ｌ）と、各レール枠（７０Ｌ）の長さ方向に沿って設けられたレール溝（７０Ｈ）と、各レール枠（７０Ｌ）内に収容されたスライド輪（７０Ｗ）と、前記スライド輪（７０Ｗ）を支承して前記レール溝（７０Ｈ）から突出した支承軸（７０）とを具備し、この支承軸（７０）が、パンタグラフ型のジャッキ機構（６）を介して捕虫器本体（１）を吊り下げ支持してなる請求項１記載の移動型捕虫器。
【請求項３】
スライドレール機構（７０）は、捕虫器本体（１）の両側部を並走する一対のレール枠（７０Ｌ）と、各レール枠（７０Ｌ）の長さ方向に沿って設けられたレール溝（７０Ｈ）と、各レール枠（７０Ｌ）内に収容されたスライド輪（７０Ｗ）と、前記スライド輪（７０Ｗ）を支承して前記レール溝（７０Ｈ）から突出した支承軸（７０）とを具備し、
この支承軸（７０）が捕虫器本体（１）を吊り下げ支持してなり、また前記一対のレール枠（７０Ｌ）同士が、上連結枠（７１）によって並行に繋がれ、この上連結枠（７１）が、パンタグラフ型のジャッキ機構（６）を介して下方から走行枠体（７）に支持される請求項１記載の移動型捕虫器。
【請求項４】
捕虫器本体（１）は、筒内部への吸引機構（４）を備えた縦型の筒体（１０）と、筒体（１０）の上部筒口に取り付けられた捕獲網（５）と、筒体（１０）の下部筒口周りに取り付けられ、吸引口（１１Ｈ）を中央に有して水平方向及び斜め下方向に拡がる吸引板（１１）とを具備し、吸引板（１１）によって規定された平面視補虫領域（１１Ａ）内に飛来または潜伏する虫を吸引機構（４）によって捕獲網（５）内に捕獲する請求項１、２、又は３のいずれか記載の移動型捕虫器。
【請求項５】
捕獲網（５）は、網底に向かって袋の両側部が外方に張り出した張り出し部（５２）を有する請求項１、２、３、又は４のいずれか記載の移動型捕虫器。
【請求項６】
栽培棚（８）の栽培棚面（８０）よりも小さい捕虫領域（１１Ａ）の捕虫器本体（１）を移動可能に備え、走行枠体（７）によって栽培棚面（８０）上を往復走行させることで、栽培棚面（８０）内に載置された栽培ポッド（Ｐ）廻りに発生した虫を捕獲する請求項１，２，３，４又は５のいずれかに記載の移動型捕虫器と、当該移動型捕虫器を栽培棚面に設置させるための移動台（９）とを備えた移動型捕虫器セットであって、
前記移動台（９）は、自由移動車輪を備えた移動枠体（９０）と、移動枠体（９０）の上部にて、走行枠体（７）の走行輪を乗り上げて枠体の上部に停め置くことのできる一対の停め枠（９１）と、栽培棚面（８０）と前記停め枠（９１）とに掛け渡して、走行枠体（７）の走行輪を亘らせることのできる一対の掛け渡しレール（９２）とを具備してなり、
前記掛け渡しレール（９２）は、前記停め枠（９１）の枠方向に延伸配置されることで、栽培棚面（８０）上に一端を掛け渡した掛け渡し状態となり得ると共に、前記停め枠（９１）の枠方向と交差配置されることで収容状態となり得るものであり、前記収納状態では、掛け渡しレール（９２）が停め枠（９１）の枠体よりも上方へ突出して係止することで、留め置かれた移動型捕虫器の停め枠（９１）からの落下を防止することを特徴とする移動型捕虫器セット。
【発明の詳細な説明】
【技術分野】
【０００１】
植物栽培ハウス内等に設置して、羽アブラムシ、コナジラミ、ヤガ、アザミウマ、ハエなどの飛翔性の小虫を捕らえる捕虫器であって、特に移動して捕獲する移動型捕虫器に関する。
【背景技術】
【０００２】
従来、昆虫に対して誘引させる光を発生する光源と、この光源によって誘引されてきた昆虫を反射し滑落させる反射板と、該反射板の下方に設けた昆虫殺傷捕獲手段とを具備する防虫器が開示されている（例えば、特許文献１参照）。ただし、この反射板は、忌避光を周囲に反射すると共に吸引されてきた昆虫を下方の昆虫殺傷捕獲手段へ滑落させるように傾斜させている。
【先行技術文献】
【特許文献】
【０００３】
【特許文献１】特開２００５−２２９９９７号公報
【発明の概要】
【発明が解決しようとする課題】
【０００４】
しかし捕獲対象の虫の多くは栽培植物の葉の裏や枝内、栽培ポッドの陰等といった箇所に潜んでいるところ、上記従来の捕虫器では、反射板が上方を向いて拡がるため、光源の光が下方に届かなかった。また上方を向いた吸引口から下方に吸引するため、飛来中の虫しか捕獲することができなかった。また上記従来の捕虫器は、定位置に吊り下げるか立脚支持するものであり、誘引されて飛来してきた虫を設置された定位置でしか捕獲することができなかった。
【０００５】
そこで本発明は、飛来中の虫だけでなく栽培植物の葉の裏や枝内、栽培ポッドの陰等といった比較的下方の個所に潜む虫も捕獲することができ、また捕獲範囲を定位置外に拡げることのできる捕虫器を提供することを課題とする。
【課題を解決するための手段】
【０００６】
上記課題を解決すべく、本発明では下記（１）〜（６）の手段を講じている。
（１）本発明の移動型捕虫器は、奥行き方向及び幅方向に拡がる植物の栽培面の上方に、所定の捕虫領域１１Ａの捕虫器本体１を移動可能に備えるものであって、
それ自身の下部の吸引口１１Ｈから平面視捕虫領域１１Ａ内の虫を吸引して上部の捕獲網５内に捕獲する捕虫器本体１と、
走行枠体内で補虫器本体１を奥行き方向、幅方向のうちいずれか一方向内をスライド可能に支持するスライドレール機構７０と、
栽培棚８の上方を奥行き方向、幅方向のうち前記いずれか一方向に跨ぐと共に残りの他方向に沿って走行し得る走行枠体７と、
スライドレール機構７０に付属して捕虫器本体１の支持高さを上下方向に可変調節するジャッキ機構６とを具備してなり、
スライドレール機構７０によって、捕虫器本体１のスライド位置を調節しながら、走行枠体７によって栽培面上を往復走行させることで、栽培面廻りに発生した虫を捕獲することを特徴とする。
【０００７】
なお後述する実施例１、２では、奥行き方向及び幅方向に拡がる栽培棚８の上方に、栽培棚８の栽培棚面８０よりも小さい捕虫領域（１１Ａ）の捕虫器本体（１）を移動可能に備え、走行レール８０Ｌに嵌入した走行枠体７によって栽培棚面８０上をレール走行させることで、栽培棚面８０内に載置された栽培ポッドＰ廻りに発生した虫を捕獲するものとしている。
【０００８】
（２）前記移動型捕虫器において、スライドレール機構７０は、捕虫器本体１の両側部を並走する一対のレール枠７０Ｌと、各レール枠７０Ｌの長さ方向に沿って設けられたレール溝７０Ｈと、各レール枠７０Ｌ内に収容されたスライド輪７０Ｗと、前記スライド輪７０Ｗを支承して前記レール溝７０Ｈから突出した支承軸７００とを具備し、
この支承軸７００が、パンタグラフ型のジャッキ機構６を介して捕虫器本体１を吊り下げ支持してなることが好ましい。
【０００９】
（３）或いは、前記（１）記載の移動型捕虫器において、スライドレール機構７０は、捕虫器本体１の両側部を並走する一対のレール枠７０Ｌと、各レール枠７０Ｌの長さ方向に沿って設けられたレール溝７０Ｈと、各レール枠７０Ｌ内に収容されたスライド輪７０Ｗと、前記スライド輪７０Ｗを支承して前記レール溝７０Ｈから突出した支承軸７００とを具備し、
この支承軸７００が捕虫器本体１を吊り下げ支持してなり、また前記一対のレール枠７０Ｌ同士が、上連結枠７１によって並行に繋がれ、この上連結枠７１が、パンタグラフ型のジャッキ機構６を介して下方から走行枠体７に支持されることが好ましい。これは後述する実施例１とは異なる実施例２の形態に相当する。
【００１０】
（４）前記（１）（２）又は（３）のいずれか記載の移動型捕虫器において、捕虫器本体１は、筒内部への吸引機構４を備えた縦型の筒体１０と、筒体１０の上部筒口に取り付けられ、頂部を網底とする捕獲網５と、筒体１０の下部筒口周りに取り付けられ、吸引口１１Ｈを中央に有して水平方向及び斜め下方向に拡がる吸引板１１とを具備し、吸引板１１によって規定された平面視補虫領域１１Ａ内に飛来または潜伏する虫を吸引機構４によって捕獲網５内に捕獲することが好ましい。
【００１１】
（５）上記捕虫器本体１において、捕獲網５は、網底に向かって袋の両側部が外方に張り出した張り出し部５２を有し、この張り出し部５２内に捕獲した虫を集めて留め置くことができることが好ましい。
【００１２】
（６）そして本発明の移動型捕虫器セットは、前記いずれかに記載の移動型捕虫器と、当該移動型捕虫器を栽培棚面に設置させるための移動台９とを備えた移動型捕虫器セットであって、移動台９は、自由移動車輪を備えた移動枠体９０と、移動枠体９０の上部にて、走行枠体７の走行輪を乗り上げて枠上の後端寄りの停め置き位置に停め置くことのできる一対の上部停め枠９１と、栽培棚面８０と前記停め枠９１とに掛け渡して、走行枠体７の走行輪を亘らせることのできる一対の掛け渡しレール９２とを具備してなり、
前記掛け渡しレール９２は、前記停め枠９１の枠方向に延伸配置されることで、栽培棚面８０上に一端を掛け渡した掛け渡し状態となり得ると共に、前記停め枠９１の枠方向と交差配置されることで、停め枠９１の枠上に留め置かれた移動型捕虫器の落下を防止する収容状態となり得ることを特徴とする。
【００１３】
本発明の移動型捕虫器は、上記構成によって、スライドレール機構７０のスライド方向と平面視直交する走行枠体７の走行方向とによって、補虫領域栽１１Ａを移動させることで、培棚面８０上のほぼ全域を容易に網羅することができ、虫の飛散退避や潜伏方向へ自由にかつ容易に移動可能となっている。特に吸引機構４、虫を誘引する波長の誘引光源２１を具備するものであれば、虫の誘引効果と吸引効果とがあいまって効率的に捕虫することができる。さらにジャッキ機構６によって、植物の丈に合わせた吸引口１１Ｈの高さとしたり、あるいは花や枝葉の吸引破損を防ぐような吸引口１１Ｈの高さへと容易に調節保持したりすることができる。
【００１４】
また上記（２）は後述する実施例１に相当し、ジャッキ機構６を捕虫器本体１と共にスライド移動させることで、スライド位置に応じたジャッキ機構６による高さ調節が容易となる。また上記（３）は実施例１とは異なる他の実施形態に相当し、ジャッキ機構６を走行枠体７の支持構成上に配置したことで、走行の安定性が向上する。上記ジャッキ機構６によって、捕虫器本体１の吸引口１１Ｈの高さを容易に調節し任意の高さへ保持し得る。また上記吸引板１１によって平面視における捕虫領域１１Ａが拡がり、規定される捕獲領域１１Ａを容易に把握することができる。また上記捕獲網５の張り出し部によって、下方から上方への吸引捕虫でありながら捕獲した虫を容易に落下させずに網袋内に保持することができる。
【００１５】
また上記（６）は上記移動型捕虫器と移動型捕虫器の移動に供する移動台９とのセットに関する発明であって、移動台として、移動型捕虫器を異なる栽培棚面８０上に移設したり栽培棚面８０上から取り除いたりする際に、移動型捕虫器を容易に且つ安全に運搬し移動させることのできるものを提供するものである。このような移動型捕虫器セットであれば、複数の栽培棚で上記移動型捕虫器を使用することが容易となる。
【発明の効果】
【００１６】
上記手段により、下部の吸引口から上方へ吸引することで飛来中の虫だけでなく栽培植物の葉の裏や枝内、栽培ポッドの陰等といった比較的下方の個所に潜む虫も捕獲することができ、またスライド及び走行によって平面視一方向及び他方向に相互移動することができ、捕獲範囲を定位置外に拡げることのできる捕虫器を提供することができる。
【図面の簡単な説明】
【００１７】
【図１】本発明の実施例１の移動型捕虫器の側面図である。
【図２】本発明の実施例１の移動型捕虫器の平面図である。
【図３】本発明の実施例１の移動型捕虫器の底面図である。
【図４】本発明の実施例１の移動型捕虫器の正面図である。
【図５】本発明の実施例１の捕虫器の使用状態を示す平面説明図である。
【図６】本発明の実施例２の移動型捕虫器の側面図である。
【図７】本発明の実施例１の移動型捕虫器の平面図である。
【図８】本発明の実施例２の移動型捕虫器の底面図である。
【図９ａ】本発明の実施例２の移動型捕虫器の移動状態を示す正面図である。
【図９ｂ】本発明の実施例２の移動型捕虫器の移動状態を示す正面図である。
【図１０ａ】本発明の実施例２の捕虫器の上昇状態を示す平面説明図である。
【図１０ｂ】本発明の実施例２の捕虫器の下降状態を示す平面説明図である。
【図１１】実施例２の移動型捕虫器の底面図。
【図１２】実施例２の移動型捕虫器を移動台に載置する途中の状態を示す平面図。
【図１３】実施例２の移動型捕虫器を移動台に載置した後の状態を示す平面図。
【図１４】実施例２の移動型捕虫器を移動台に載置する途中の状態を示す側面図。
【図１５】実施例２の移動型捕虫器を移動台に載置した後の状態を示す側面図。
【図１６】図１５のα矢視図。
【図１７ａ】掛け渡しレールの斜視図。
【図１７ｂ】掛け渡しレールの斜視図。
【図１８】図１５の移動台のみのβ拡大矢視図。
【発明を実施するための形態】
【００１８】
（本発明の移動型捕虫器の基本構成）
以下、本発明の形態例を本発明の実施例として示す各図と共に説明する。図１〜４は実施例１の移動型捕虫器の側面図、平面図、底面図、及び正面図であり、図５はその使用状態説明図である。本発明の移動型捕虫器はその基本構成として、下部の吸引口１１Ｈから吸引した虫を上部の捕獲網５内に捕獲する捕虫器本体１と、捕虫器本体１を、平面視似て互いに直交する幅方向、奥行き方向のいずれか一方向（例えば奥行き方向）へスライド可能に支持するスライドレール機構７０と、スライドレール機構７０を支持すると共に前記平面視幅方向、奥行き方向の残りの他方向（例えば幅方向）へ走行し得る走行枠体７と、そしてスライドレール機構７０に取り付けられることで、捕虫器本体１１の支持位置を高さ方向の任意の位置へ可変させて保持するジャッキ機構６とを備える。
【００１９】
（捕虫器本体１）
捕虫器本体１は、植物栽培ポッドＰの上方から虫を吸引捕獲し得る所定の平面捕獲領域を有しており、栽培棚の棚面上に配置された複数の植物栽培ポッドに群がり或いは潜んでいる虫を吸引捕獲する。この捕虫器本体１は、スライドレール機構７０、及びスライドレール機構７０を支える走行枠体７によって、栽培棚８の上方に移動可能に支持される。また捕虫器本体１は、上下方向のジャッキ機構６を介してスライドレール機構７０又は走行枠体７に支持されており、ジャッキ機構６によって植物栽培ポッドＰとの上下方向の離間距離を調節することができる。
【００２０】
具体的には捕虫器本体１は、筒内部への吸引機構４を備えた縦型の筒体１０と、筒体１０の上部筒口に取り付けられ、頂部を網底とする捕獲網５と、筒体１０の下部筒口周りに取り付けられ、吸引口１１Ｈを中央に有して水平方向及び斜め下方向に拡がる吸引板１１とを具備し、吸引板１１によって規定された平面視補虫領域１１Ａ内に飛来または潜伏する虫を吸引機構４によって捕獲網５内に捕獲する。吸引口１１Ｈ内には断面台形状の剛性網体からなる防護網３が設けられる。防護網３は上部を底部とする部分円錐状に設けられ、防護網３の下部には虫を誘引する環状蛍光管からなる誘引光源２１がホルダーによって固定される。また実施例の吸引機構４は、下方から上方へ吸引気流を発生させる回転羽根４１と、回転羽根を駆動させる回転モーター４０とから構成される。
【００２１】
（捕獲網５）捕獲網５は、網底に向かって袋の両側部が外方に張り出した張り出し部５２を有し、個の張り出し部５２内に捕獲した虫を集めて留め置くものとしている。頂部の網底が筒体１０へ取り付けられる下部の網口よりも大きく形成され、網底側の下半部、好ましくは袋高さの底部略三分の一から先が、網底へ向かって袋の左右縫合縁が直線的に斜めへ張り出し、角部が鋭角状に袋綴じされた袋部からなる張り出し部５２となっている。
【００２２】
＜ジャッキ機構６について＞
ジャッキ機構は、油圧ジャッキ、空気圧ジャッキのほか、機械式ジャッキを用いることができる。中でも電気配線や圧力配管が不要な点で、パンタグラフジャッキ、ウォームギヤジャッキをはじめとするねじジャッキ、ラック駆動ジャッキといった機械式ジャッキを用いることが好ましい。また、垂直に歯合されたウォームギヤを介してウォームホイルを軸周りに回転させることで、ウォームホイルと同軸のスクリューに推力を与えるウォームギヤジャッキを使用することができる。
【００２３】
実施例１のジャッキ機構６は、パンタグラフ型のジャッキからなり、スライドレール機構７０の支承軸７００に四方枠状に構成された枠上部６１が吊り下げられ、捕虫器本体１の吸引板１１の上面に枠下部６１が固定される。補虫領域１１Ａを奥行き方向、幅方向のうち前記いずれか一方向内における所定のスライド位置に調節したまま、走行枠体７によって前記残りの他方向に走行させる。ジャッキ機構６によって植物栽培ポッドＰとの上下方向の離間距離を調節することができる。
【００２４】
（走行枠体７）
走行枠体７は、走行枠体は前後左右の平面視４隅に４本の走行脚部を有し、このうち２本ずつの走行脚部が栽培棚の奥行き方向両端付近に立脚し、それぞれが幅方向に沿って走行可能となっている。そして栽培棚８の上を、奥行き方向、幅方向のうち短い側の一辺の方向に跨ぐと共に長い側の一辺の方向に沿って走行し得る。或いは他の形態として、幅方向よりも奥行き方向に長い栽培棚の上部を幅方向に跨ぐと共に奥行き方向に沿って走行し得るものでもよい。
【００２５】
実施例では、奥行き方向よりも幅方向に長い栽培棚の上部を奥行き方向に跨ぐと共に幅方向に沿って走行し得る。具体的には走行レール８０Ｌの縦片に嵌入して走る走行輪７４Ｗと、走行輪７４Ｗを軸支してその上部及び両側部を覆う走行枠７４と、奥行き方向に並ぶ２対の走行枠７４同士を略水平につなぐ下連結枠７３とによって、走行枠体７の下部が構成される。また幅方向に略水平に並走する一対のスライドレール機構７０によって、走行枠体７の上部が構成される。そしてこの走行枠体７の上部と下部とが、各走行枠７４の天面から上方へ鉛直に伸びる縦連結材７２によって繋がれる。走行輪７４Ｗは幅方向中央が縮径し、輪周面が凹状に形成されており、この凹状の輪周面に走行レール８０Ｌが嵌り込んだレール走輪可能となっている。
【００２６】
なお他の実施形態として、露地栽培の場合にも走行枠体７を走行させることで使用することができる。この場合、走行レール８０Ｌとして例えば円管を地面に固定し、車輪のリム部が露出した走行輪７４Ｗの輪周面の凹状部を前記円管に嵌入してレール走輪させるものとなる。
【００２７】
縦連結枠７２は、スライドレール機構７０のレール枠７０Ｌの両端部に設けられた端部枠材７０Ｅの下面に固定され、当該下面から鉛直下方に伸びて四脚で立設する。
【００２８】
走行枠体７の下部は、走行レール８０上を略水平に並走する下連結枠７３とそれぞれの下部の走行輪７４Ｗとによって剛性が確保される一方、走行枠体７の上部は、走行レール８０と平面視にて直交して略水平に並走するレール枠７０Ｌとそれぞれの下部から支承軸７００を介して吊設された四方枠状の枠上部６１とによって合成が確保される。そして走行枠体７の上部を構成するスライドレール機構７０によって、捕虫器本体１の補虫領域１１Ａを奥行き方向、幅方向のうち前記いずれか一方向内で所定の位置に調節したまま、走行枠体７の下部を構成する走行輪７４Ｗによって前記残りの他方向に走行させる。
【００２９】
（スライドレール機構７０）
スライドレール機構７０は、捕虫器本体を幅方向にスライド可能に支持する。スライドレール機構は、略水平かつ幅方向に並行に配置した２本のレール枠７０Ｌ内に、それぞれ複数個のスライド輪７０Ｗが転動可能に収容される。レール枠７０Ｌは長尺板体が矩形に曲げ加工された矩形枠からなり、下面中央に長さ方向に沿うレール溝７０Ｈが形成される。またレール枠７０Ｌの両端には下方から断面略コ字状の端部枠材７０Ｅが、縦方向に貫通する端部ボルト７０Ｂによって固定されており、スライド輪７０Ｗが脱落せず、かつ枠上部が補強された構成になっている。
【００３０】
他の実施形態として、スライドレール機構７０は、捕虫器本体１の両側部を並走する一対のレール枠７０Ｌと、各レール枠７０Ｌの長さ方向に沿って設けられたレール溝７０Ｈと、各レール枠７０Ｌ内に収容されたスライド輪７０Ｗと、前記スライド輪７０Ｗを支承して前記レール溝７０Ｈから突出した支承軸７００とを具備し、
この支承軸７００が捕虫器本体１を吊り下げ支持してなり、また前記一対のレール枠７０Ｌ同士が、上連結枠７１によって並行に繋がれ、この上連結枠７１が、パンタグラフ型のジャッキ機構６を介して下方から走行枠体７に支持されるものとしてもよい。
【００３１】
（栽培棚８）
栽培棚８は、幅方向、奥行き方向に拡がる栽培棚面８０を有し、栽培ポッドを複数行、複数列並べることができる。栽培棚面８０上の両幅端辺近傍には、幅方向に沿って凸状の走行レール８０Ｌが立設され、この走行レール８０Ｌ上を走行輪が走行し得るものとなっている。栽培棚の幅方向に伸びる両辺の端部外側には作業用通路が設けられ、奥行き方向の両外方から手入れを行うことができる。
【００３２】
（走行レール８０Ｌ）
走行レール８０Ｌは具体的には、板状の縦片と板状の横片とが直交してなる断面Ｌ型アングルからなり、横片の下面が栽培棚面８０に当接して固定され、縦片が栽培棚面８０上に直立形成される。
【００３３】
（使用方法例）
上記移動型捕虫器は例えば、図５に示すように、作業通路を隔てて設置された第一の栽培棚８の栽培棚面８０上を、吸引板１１によって規定される捕虫領域１１Ａが順に図示（Ａ）（Ｂ）（Ｃ）（Ｄ）の位置へ、平面視方形経路上を移動するように使用し、続けて隣にある第二の栽培棚８´の栽培棚面８０上に移設させた後、捕虫領域１１Ａが順に図示（Ａ）´（Ｂ）´（Ｃ）´（Ｄ）´の位置へ移動するように使用する。具体的には、スライドレール機構７０によって捕虫器本体１のスライド位置を奥行き方向一方寄りに配置し（図（Ａ））、この際、ジャッキ機構６を調整して、吸引板１１の吸引面が栽培植物と接触しない程度の近接位置まで下げておく。次いでそのスライド位置のまま走行輪７４Ｗの転動によって走行レール８０Ｌ上を一端側から他端側へ幅方向に走行移動させる（図（Ｂ））。次いで幅方向多端側にてスライドレール機構７０によって捕虫器本体１のスライド位置を奥行き方向他方寄りにスライドさせて配置し（図（Ｃ））、そのスライド位置のまま走行輪７４Ｗの転動によって走行レール８０Ｌ上を他端側から一端側へ幅方向に走行移動させる（図（Ｄ））。このとき、吸引機構４は移動中すべて吸引作動したままである。次いで隣の栽培棚８´上に移設したのち、同様にスライド移動及び走行させる。これによって捕虫領域を端から順に方形経路を通って動かして、栽培棚面８０上の必要捕虫領域を順に網羅することができる。
【００３４】
或いは上記使用方法例のほか、吸引板１１によって規定される捕虫領域１１Ａが順に図示（Ａ）（Ｃ）（Ｂ）（Ｄ）の位置へ、平面視八の時経路を移動するように使用し、続けて隣の第二の栽培棚８´の栽培棚面８０上に移設したのち、同じく順に図示（Ａ）´（Ｃ）´（Ｂ）´（Ｄ）´の位置へ、平面視八の時経路を移動するように使用することもできる。斜めに移動させることで虫の飛散退避方向を効率的に追いかけて捕虫することができる。
【００３５】
実施例２の移動型捕虫器は、上下移動枠が、その中央下部に接続されたジャッキ機構を介して固定枠に支承される。このジャッキ機構がパンタグラフ状に変形することで、スライド用レールに吊り下げられた捕虫部の吸引口が上下に移動調節される。
前記いずれか記載の移動型捕虫器と、当該移動型捕虫器を栽培棚面に設置させるための移動台９とを備えた移動型捕虫器セットを構成することもできる。移動台９は、自由移動車輪９５Ｗを備えた移動枠体９０と、移動枠体９０の上部にて、走行枠体７の走行輪を乗り上げて片端寄りの停め置き方向に停め置くことのできる傾斜した一対の上部停め枠９１と、栽培棚面８０と前記停め枠９１とに掛け渡して、走行枠体７の走行輪を亘らせることのできる一対の掛け渡しレール９２とを具備してなり、掛け渡しレール９２は栽培棚面８０上に一端を掛け渡された状態から、前記停め枠９１の前記停め置き方向と逆端付近に係止した係止状態となるものであり、前記係止状態にて移動型捕虫器は停め枠９１の片端寄りに留め置かれるとともに、係止した掛け渡しレール９２によって逆端側への移動が制限される。
【００３６】
移動枠体９０は前方にて幅方向に亘る前枠９０Ｌと、両側方にて前後方向に亘る側枠と、後方にて幅方向に亘る後枠とが連なった四辺形の水平枠体の四隅から鉛直下方へ脚部が延伸される。脚部の下部は伸棒９５が収容突出し、止め具９５Ｐによって伸棒９５の突出量が保持される。伸棒９５の下端には自由移動車輪９５Ｗが設けられる。また前枠９０Ｌの幅方向略中央部には、枠の両側部から２枚の固定板９４が立設され、側枠の上部には、前端付近に固定配置された挟み込み部９３を挟んで止め枠９１が傾斜固定される。
止め枠９１は、移動型捕虫器の走行輪７４Ｗの幅方向配置に合わせた位置に並行してレール上に配置された立て板を有し、この立て板に、走行車輪７４Ｗが嵌まりこんで止め枠９１上を走行可能となっている。立て板の前端部９１Ｅは、止め枠の下部と側枠の上部との間に挟みこまれた挟み込み部９３によって、側枠よりも上方へ浮いた位置に固定され、立て板の後端が側枠の上部に接して固定される。これにより、前端が上方へ、後端が下方へ傾斜して配置される。前端９１Ｅ付近には、上辺部にスリット状の切り欠き９１Ｄが設けられる。
【００３７】
掛け渡しレール９２は折曲部で折れ曲がって一体形成された断面Ｌ字状のアングルからなり、一端部付近の折曲部に沿って、停め枠９１へ係止するための細幅の係止孔９２Ｈが設けられ、他端部の折曲部に沿って、走行レール８０Ｌに嵌合するための細幅の係止切り欠き９２Ｄが設けられる。他端部にはまた、断面Ｌ字状の折曲方向の内面に補強板９２Ｐが固定され、他端部の端面にて略三角形状がされる。また中間部には方形断面の中間補強棒が補強用に固着される（図１７ａ、ｂ参照）。
【００３８】
本発明は上述の実施例に限定されず、本発明の趣旨を逸脱しない範囲で適宜構成の代替、変更、配置変更、置換、一部構成の抽出が可能である。例えばジャッキ機構６の位置は幅方向と奥行き方向を入れ替えて使用してもよく。走行枠体７の下部と上部の間に設置してもよい。また一対ではなく片側にのみ一つ使用してもよく、４輪位置に複数個使用してもよい。或いは縦枠材７２を２枠材の挿通構造とし、２枠材それぞれの対応位置に複数の係止穴及びこれに係止する係止穴を備えた高さ調節機構を備えたものとしてもよい。その他、パンタグラフジャッキとは異なるジャッキ機構を使用する、或いは走行枠体７の枠構成を変更するなど、適宜の変更が可能である。
【符号の説明】
【００３９】
１  捕虫器本体
１０  筒体
１１  吸引板
１１Ａ  捕虫領域
１１Ｈ  吸引口
４  吸引機構
５  捕獲網
５２  張り出し部
６  ジャッキ機構
７  走行枠体
７０  スライドレール機構
７０Ｌ  レール枠
７０Ｈ  レール溝
７０Ｗ  スライド輪
７００  支承軸
８  栽培棚
８０  栽培棚面
９  移動台
【図１】
2011160794.tif 000003
【図２】
2011160794.tif 000004
【図３】
2011160794.tif 000005
【図４】
2011160794.tif 000006
【図５】
2011160794.tif 000007
【図６】
2011160794.tif 000008
【図７】
2011160794.tif 000009
【図８】
2011160794.tif 000010
【図９ａ】
2011160794.tif 000011
【図９ｂ】
2011160794.tif 000012
【図１０ａ】
2011160794.tif 000013
【図１０ｂ】
2011160794.tif 000014
【図１１】
2011160794.tif 000015
【図１２】
2011160794.tif 000016
【図１３】
2011160794.tif 000017
【図１４】
2011160794.tif 000018
【図１５】
2011160794.tif 000019
【図１６】
2011160794.tif 000020
【図１７ａ】
2011160794.tif 000021
【図１７ｂ】
2011160794.tif 000022
【図１８】
2011160794.tif 000023